(57)【特許請求の範囲】
【請求項１】
データ又は電気信号を送受信するためのコードのプラグを差し込むためのジャックに、前記ジャックのプラグ差し込み口を開閉可能な扉と、前記扉の施錠及び前記プラグ差し込み口に差し込まれるプラグの施錠の両方に用いる一つの施錠手段とを設け、
前記ジャックのプラグ差し込み口にプラグが差し込まれず、前記扉が閉じられているときは、前記施錠手段により前記扉を施錠して前記扉の開動作を規制することにより、
前記扉が開かれて前記ジャックのプラグ差し込み口にプラグが差し込まれているときは、前記施錠手段により当該プラグを施錠して当該プラグの抜き取りを規制することにより、
ジャック又はプラグを介して電子機器又は情報通信機器へ不正にアクセスされることを防止する、
ことを特徴とする電子機器又は情報通信機器の保護方法。
【請求項２】
データ又は電気信号を送受信するためのコードのプラグを差し込むためのジャックに、前記ジャックのプラグ差し込み口を開閉可能な扉と、前記扉の施錠及び前記プラグ差し込み口に差し込まれるプラグの施錠の両方に用いる一つの施錠手段とを備え、
前記施錠手段は、
前記ジャックのプラグ差し込み口にプラグが差し込まれず、前記扉が閉じられているときに、前記扉に掛止されて、前記扉の開動作を規制し、前記扉が開かれて前記ジャックのプラグ差し込み口にプラグが差し込まれているときに、当該プラグに掛止されて、当該プラグの抜き取りを規制する手段を備える、
ことを特徴とするジャックセキュリティ装置。
【請求項３】
前記施錠手段は、鍵が差し込まれて操作される錠本体部と、前記錠本体部に連結され、前記鍵による前記錠本体部の操作により回転される伝達部材と、前記伝達部材に作動連結され、前記閉じられた扉の被掛止部に対して着脱する方向及び前記扉が開かれて前記ジャックのプラグ差し込み口にプラグが差し込まれているときの当該プラグの被掛止部に対して着脱する方向に動作する掛止部材とを備える請求項２に記載のジャックセキュリティ装置。
【請求項４】
前記掛止部材と前記伝達部材とは相互に係合するように形成され、該係合部は、前記伝達部材が回転操作されたときに所定角度までは前記掛止部材に力が伝達されず、所定角度以上で前記掛止部材に力が伝達され、この力の伝達により前記掛止部材を動かして扉又はプラグの被掛止部に着脱させる請求項３に記載のジャックセキュリティ装置。
【発明の詳細な説明】
【技術分野】
【０００１】
本発明は、送受信配線のプラグが差し込むためのジャックと、このジャックに差し込まれたプラグとを介して、電子機器又は情報通信機器に不正なアクセスが為されないように防御する方法と、この防御方法に用いる装置に関する。
【背景技術】
【０００２】
コンピュータやサーバー等の電子機器又は情報通信機器には複数のジャックが設けられている。またジャックは、このような機器に限定されるものではなく、例えば、情報配線管理室、会議室又はＯＡ関係機器室等の壁や天井に予め埋め込まれたものもある。これらのジャックには、それぞれ送受信用コードのプラグが差し込まれ、端末あるいは周辺機器等とデータ又は電気信号を送受信可能にする。しかしながら、このような送受信用コードのプラグは、多くの場合に、ジャックから比較的簡単に抜き差しできるものであるため、悪意ある者がプラグを抜き取り、ジャックに自己の携帯端末からの配線を接続したり、あるいは抜き取ったプラグを携帯端末のジャックに差し込んだ場合には、電子機器又は情報通信機器への不正なアクセスが比較的容易に可能になり、機器内の情報が盗み取られたり、機器内の情報が破壊されたりする可能性がある。
また複数のジャックの幾つかはプラグが差し込まれず、空き状態になっていることもある。このような場合にも、空き状態のジャックに、悪意をもって送受信配線のプラグを差し込めば、電子機器又は情報通信機器への不正なアクセスが容易に可能になる。
以上のような電子機器又は情報通信機器への不正なアクセスを防止するべく、機器が設置された所定エリアへの立入りを限定したり、機器全体を筐体に収納し、筐体の開閉扉を施錠したりといった対策が考えられている。
【０００３】
しかしながら、電子機器又は情報通信機器を使用する者の業務内容によっては、機器設置エリアへの立入りを限定することが困難であったり、あるいは、機器設置エリアへの立入りを限定したとしても、悪意ある者が何らかの方法によりプラグを抜き取って、このプラグやジャックを不正に利用したり、空き状態のジャックにプラグを差し込んで不正に利用する可能性を皆無にすることは困難である。
また機器全体を筐体に収納する対策では、システム構成の変更等により、随時行われる送受信配線プラグの差し替え作業等に迅速に対応することができなかったり、場合によっては、機器の構造上の理由から筐体に開閉扉を設けることが不可能なこともある。
【０００４】
さらに、上記以外にも、特開２００１−１１８６３７号公報（特許文献１）には、ハブ等にあるコンセント内に施錠用ロックピンを設ける一方で、コネクタに施錠用台座を設け、この台座にロックピンを挿入することで、コネクタが悪意ある者によりコンセントから抜き取られることを防止する装置が提案されている。しかしながら、特許文献１の装置では、一般的に使用されている規格品のコネクタは使用することができず、特別にコネクタを製造しなければならないため、それらの手間が煩雑であり、製造コストも上昇するという問題点がある。
またコネクタがコンセントに差し込まれていないときには、その空き状態になっているコンセントに、悪意をもって別のプラグを差し込めば、電子機器又は情報通信機器への不正なアクセスが容易に可能になってしまう。
【特許文献１】特開２００１−１１８６３７号公報
【発明の開示】
【発明が解決しようとする課題】
【０００５】
本発明の課題は、電子機器又は情報通信機器のジャックに既に差し込まれている送受信用コードのプラグ、このプラグが差し込まれているジャック、プラグが差し込まれていない空き状態のジャックを介して、電子機器又は情報通信機器へ不正にアクセスされないように防御する方法を提供することにある。
【０００６】
本発明の別の課題は、電子機器又は情報通信機器のジャックに既に差し込まれている送受信用コードのプラグを容易に抜き取ることができないようにすると共に、空き状態のジャックに悪意によりプラグが差し込まれないように閉鎖し、電子機器又は情報通信機器へ不正にアクセスされないように防御する装置を提供することにある。
【課題を解決するための手段】
【０００７】
本発明の電子機器又は情報通信機器の保護方法は、データ又は電気信号を送受信するためのコードのプラグを差し込むためのジャックに、前記ジャックのプラグ差し込み口を開閉可能な扉と、前記扉の施錠及び前記プラグ差し込み口に差し込まれるプラグの施錠の両方に用いる一つの施錠手段とを設け、前記ジャックのプラグ差し込み口にプラグが差し込まれず、前記扉が閉じられているときは、前記施錠手段により前記扉を施錠して前記扉の開動作を規制することにより、前記扉が開かれて前記ジャックのプラグ差し込み口にプラグが差し込まれているときは、前記施錠手段により当該プラグを施錠して当該プラグの抜き取りを規制することにより、ジャック又はプラグを介して電子機器又は情報通信機器へ不正にアクセスされることを防止する、ことを要旨とする。
本発明では、扉を施錠することにより、空き状態のジャックに悪意ある者がプラグを差し込むことができないように防御し、またジャックに差し込まれたプラグを施錠することにより、悪意ある者がプラグを抜き取ることができないように防御する。したがって、ジャック又はプラグを介して電子機器又は情報通信機器へ不正にアクセスされることを防止できる。
【０００８】
また、本発明のジャックセキュリティ装置は、データ又は電気信号を送受信するためのコードのプラグを差し込むためのジャックに、前記ジャックのプラグ差し込み口を開閉可能な扉と、前記扉の施錠及び前記プラグ差し込み口に差し込まれるプラグの施錠の両方に用いる一つの施錠手段とを備え、前記施錠手段は、前記ジャックのプラグ差し込み口にプラグが差し込まれず、前記扉が閉じられているときに、前記扉に掛止されて、前記扉の開動作を規制し、前記扉が開かれて前記ジャックのプラグ差し込み口にプラグが差し込まれているときに、当該プラグに掛止されて、当該プラグの抜き取りを規制する手段を備える、ことを要旨とする。
本発明では、ジャックに開閉扉が設けられ、ジャックに差し込まれたプラグと開閉扉とが施錠手段により施錠されるものであるため、悪意ある者が空き状態のジャックにプラグを差し込むことができないように防御すると共に、プラグを抜き取ることができないように防御することができる。
【０００９】
本発明のジャックセキュリティ装置はまた、前記施錠手段は、鍵が差し込まれて操作される錠本体部と、前記錠本体部に連結され、前記鍵による前記錠本体部の操作により回転される伝達部材と、前記伝達部材に作動連結され、前記閉じられた扉の被掛止部に対して着脱する方向及び前記扉が開かれて前記ジャックのプラグ差し込み口にプラグが差し込まれているときの当該プラグの被掛止部に対して着脱する方向に動作する掛止部材とを備える、ことを要旨とする。
【００１０】
本発明のジャックセキュリティ装置はさらに、前記掛止部材と前記伝達部材とは相互に係合するように形成され、該係合部は、前記伝達部材が回転操作されたときに所定角度までは前記掛止部材に力が伝達されず、所定角度以上で前記掛止部材に力が伝達され、この力の伝達により前記掛止部材を動かして扉又はプラグの被掛止部に着脱させる、ことを要旨とする。
一般的に、鍵を錠に差し込んで回転操作するとき、少なくとも９０度程度は回転させるようなものが、錠本体部の汎用品として普及している。これは、例えば３０度程度の小さな回転角度では誤操作や誤作動により錠が開閉する可能性があり、安全性の点から好ましくないからであり、また鍵を操作する者が、錠の開閉を手の感触として認識するためにも、９０度程度の操作角度が必要なためである。一方、電子機器又は情報通信機器或いは壁や天井等のジャックには、多くの場合、小型化や省スペースが求められているため、掛止部材の可動範囲は比較的小さくする必要がある。
以上のような課題に対して、本発明のジャックセキュリティ装置では、伝達部材に所定角度の空回り区間を設けることにより、錠を開閉するときには鍵を比較的大きな角度で回転操作することができる一方で、掛止部材の可動範囲を比較的小さくすることができるため、良好な操作性と省スペースの両方が実現可能になった。
【発明の効果】
【００１１】
本発明によれば、電子機器又は情報通信機器のジャックのプラグ差し込み口に送受信用コードのプラグが差し込まれず、扉が閉じられているときは、施錠手段により扉を施錠して扉の開動作を規制することにより、未だプラグが差し込まれていない空き状態のジャックを介した電子機器又は情報通信機器への不正なアクセスに対する防御が可能になり、扉が開かれて電子機器又は情報通信機器のジャックのプラグ差し込み口に送受信用コードのプラグが差し込まれているときは、施錠手段により当該プラグを施錠して当該プラグの抜き取りを規制することにより、既にジャックに差し込まれているプラグを抜き取り、これらジャック又はプラグを介して、電子機器又は情報通信機器へ不正にアクセスするといった事態を防止することが可能になる。
【発明を実施するための最良の形態】
【００１２】
本発明に係るジャックセキュリティ装置が適用可能なジャックは、特に限定されるものではなく、例えば、情報配線管理室、会議室又はＯＡ関係機器室等の壁や天井に埋め込まれるジャック、あるいはコンピュータやサーバー等の電子機器又は情報通信機器に設けられるジャックを対象とすることができる。
【００１３】
以下、図面を参照して本発明について説明するが、本発明はこれに限定されるものではない。図１（ａ）（ｂ）は本発明に係るジャックセキュリティ装置１０のそれぞれ上面図及び正面図であり、これら図１（ａ）（ｂ）では、ジャックセキュリティ装置１０にプラグが挿着されておらず、ジャックが扉で閉鎖されて施錠されている状態を示している。図２は、この状態のジャックセキュリティ装置１０の主要部を斜視図で示したものである。図４（ａ）（ｂ）はそれぞれ図１（ａ）（ｂ）におけるＡ−Ａ線、Ｂ−Ｂ線に沿った断面図である。
ジャックセキュリティ装置１０は、図１及び図２に示したように、ジャック本体部１１にフロントカバー１２が固定され、フロントカバー１２に扉１３が開閉可能に設けられ、フロントカバー１２内に錠本体部１４が収容され、錠本体部１４に接続された伝達軸１５が掛止部材１６と係合し、掛止部材１６がフロントカバー１２の扉１３及びプラグの所定箇所に着脱可能に掛止して施錠し得るように構成されている。
【００１４】
ジャック本体部１１には、ジャック端子１１ａ（図４（ｂ）参照）が内部に設けられ、前面には図３（ａ）に示したような段状の開口１１ｂが形成され、この開口１１ｂの段状部分１１ｃがプラグに掛止する受け部として機能する。ここで、従来から慣用されているプラグについて、図３（ｂ）（ｃ）を参照して簡単に説明すれば、プラグ４０は、コード４１に接続された本体部４２にレバー４３が一体に設けられ、レバー４３にはジャック側の段状部分１１ｃに掛止するフランジ４４が形成されている。
またジャック本体部１１の前面には、凹部１１ｄ（図４（ａ）（ｂ）参照）が形成され、この凹部１１ｄとフロントカバー１２とにより、掛止部材１６の先端１６ｃを収容する収容スペース１１ｅが形成される。
【００１５】
フロントカバー１２には、ジャック本体部１１の開口１１ｂに対応する位置に扉１３が設けられている。扉１３はヒンジ１３ａによりフロントカバー１２に枢着され、その裏側に掛止部材１６の先端が掛止する受け部１３ｂが形成され、表側に取手１３ｃが突設されている。
【００１６】
錠本体部１４としては、シリンダー錠の既存ユニットを使用することが可能であり、例えば、外筒部材の内部に軸部材（図示せず）が挿着され、この軸部材が前面の鍵穴１４ａに挿入された鍵（図示せず）により回転可能に設けられ、その後端に伝達軸１５が連結されるか、一体に形成される。この伝達軸１５ｂの後端に掛止部材１６が係合される。
掛止部材１６は、環状係合部１６ａから延びるアーム１６ｂが曲折して前方に延長し、更に先端１６ｃが曲折して扉１３の裏側の受け部１３ｂに係合するように形成されたものである。環状の係合部１６ａには、伝達軸１５の後端１５ａを挿着させるための孔１６ｄが穿設されている。この孔１６ｄは、図６（ａ）（ｂ）に示したように、半円に角度αの扇が加えられた形状に形成されたものであり、一方、伝達軸１５の後端１５ａは半円状断面になるように形成されたものである。そのため、この半円状後端１５ａが孔１６ｄに挿着されたとき、孔１６ｄにおける角度αの扇部分は空き状態になっている。
【００１７】
ここで、図４（ａ）（ｂ）は掛止部材１６の先端１６ｃが扉１３の受け部１３ｂに掛止して、扉１３をロックしている状態を示しており、図５（ａ）（ｂ）は掛止部材１６の先端１６ｃが扉１３の受け部１３ｂから外れ、ロックが解除されている状態を示している。
図４（ａ）（ｂ）の扉１３のロック状態において、鍵穴１４ａに鍵を挿入してロックを解除するための操作をすると、伝達軸１５は図６（ａ）の状態から時計回り方向に回転し、角度αの区間では、伝達軸１５の後端１５ａは空回りして環状係合部１６ａに力が伝達されず、角度βの区間で伝達軸１５の後端１５ａから環状係合部１６ａに力が伝達され、アーム１６ｂが回転し、先端１６ｃが扉１３の裏側の受け部１３ｂから外れ、扉１３をロック状態から解除することができる。
逆に、図５（ａ）（ｂ）のロックが解除された状態において、施錠するための操作をすると、伝達軸１５は図６（ｂ）の状態から反時計回りに回転し、同様に、角度αの区間では空回りし、角度βの区間では力が伝達されてアーム１６ｂが回転し、先端１６ｃが扉１３の裏側の受け部１３ｂに嵌り、扉１３をロックすることができる。
【００１８】
次に、図７（ａ）（ｂ）はジャックセキュリティ装置１０にプラグ４０が差し込まれたときのそれぞれ上面図及び正面図であり、図８（ａ）（ｂ）及び図９（ａ）（ｂ）はそれぞれ図７（ａ）（ｂ）におけるＡ−Ａ線、Ｂ−Ｂ線に沿った断面図である。図８（ａ）（ｂ）は、ジャックセキュリティ装置１０に差し込まれたプラグ４０が抜き取られないようにロックされている状態を示している。また図９（ａ）（ｂ）は、ジャックセキュリティ装置１０に差し込まれたプラグ４０の抜き取りが可能なようにロック解除されている状態を示している。
図８（ａ）（ｂ）のように、プラグ４０がロックされている状態では、掛止部材１６の先端１６ｃはプラグ４０のフランジ４４の外側に位置しており、プラグ４０のレバー４３を押し込んで、フランジ４４をジャックの段状部分１１ｃから外しても、フランジ４４が掛止部材１６の先端１６ｃに当たり、プラグ４０を抜き取ることはできない。このプラグ４０のロック状態から、錠本体部１４に鍵を挿入して回転操作すると、伝達軸１５と掛合部材１６は、図４（ａ）（ｂ）や図５（ａ）（ｂ）により説明したものと同様に作動し、掛合部材１６の先端１６ｃが図９（ａ）（ｂ）に示したようにプラグ４０のフランジ４４の外側位置から外れ、プラグ４０のロック状態を解除することができる。
逆に、図９（ａ）（ｂ）のようにロックが解除された状態において、鍵により施錠するための操作をすると、伝達軸１５と掛合部材１６は同様に作動し、掛合部材１６の先端１６ｃが図８（ａ）（ｂ）に示したようにプラグ４０のフランジ４４の外側位置に移動し、プラグ４０の抜き取りを不可能にし、プラグ４０をロック状態にすることができる。
【図面の簡単な説明】
【００１９】
【図１】（ａ）（ｂ）は本発明に係るジャックセキュリティ装置のそれぞれ上面図及び正面図であり、プラグが差し込まれていない状態を示している。
【図２】ジャックセキュリティ装置の主要部を斜視図で示したものである。
【図３】（ａ）はジャック本体部に設けられた開口を示す図であり、（ｂ）（ｃ）はプラグのそれぞれ側面図及び上面図である。
【図４】（ａ）（ｂ）はそれぞれ図１（ａ）（ｂ）におけるＡ−Ａ線、Ｂ−Ｂ線に沿った断面図であり、扉のロック状態を示している。
【図５】（ａ）（ｂ）はそれぞれ図１（ａ）（ｂ）におけるＡ−Ａ線、Ｂ−Ｂ線に沿った断面図であり、扉のロックが解除されている状態を示している。
【図６】（ａ）は図４における掛止部材の拡大図であり、（ｂ）は図５における掛止部材の拡大図である。
【図７】（ａ）（ｂ）は本発明に係るジャックセキュリティ装置のそれぞれ上面図及び正面図であり、プラグが差し込まれた状態を示している。
【図８】（ａ）（ｂ）はそれぞれ図７（ａ）（ｂ）におけるＡ−Ａ線、Ｂ−Ｂ線に沿った断面図であり、プラグがロックされている状態を示している。
【図９】（ａ）（ｂ）はそれぞれ図７（ａ）（ｂ）におけるＡ−Ａ線、Ｂ−Ｂ線に沿った断面図であり、プラグのロックが解除されている状態を示している。
【符号の説明】
【００２０】
１０  ジャックセキュリティ装置
１１  ジャック本体部
１２  フロントカバー
１３  扉
１３ｂ  扉の受け部
１４  錠本体部
１５  伝達軸（伝達部材）
１６  掛止部材
４０  プラグ
【図１】
0004435700.tif 000002
【図２】
0004435700.tif 000003
【図３】
0004435700.tif 000004
【図４】
0004435700.tif 000005
【図５】
0004435700.tif 000006
【図６】
0004435700.tif 000007
【図７】
0004435700.tif 000008
【図８】
0004435700.tif 000009
【図９】
0004435700.tif 000010